(57)【要約】      （修正有）【課題】建築物の地盤中に打ち込まれた基礎杭における上下、左右、及び斜め方向の安定性を高めることで、耐震効果を一層向上させることができる建築用杭を提供する。【解決手段】一端に開口部を、他端に打込部を備えた中空状の本体部２と、本体部２の周囲に形成された螺旋部７と、本体部２に複数穿孔された貫通孔と、を備える建築用杭１であって、建築用杭１は、地盤中に傾斜状に打ち込まれることを特徴とする。【選択図】図１
0003203689.tif 000002
【実用新案登録請求の範囲】
【請求項１】
一端に開口部を、他端に打込部を備えた中空状の本体部と、本体部の周囲に形成された螺旋部と、前記本体部に複数穿孔された貫通孔と、を備える建築用杭であって、前記建築用杭は、地盤中に傾斜状に打ち込まれることを特徴とする建築用杭。
【請求項２】
前記建築用杭は、垂直方向に対して４５°〜８０°の範囲に傾斜している請求項１記載の建築用杭。
【請求項３】
前記建築用杭は、斜め貫入パイルにて補強される請求項１または２記載の建築用杭。
【請求項４】
前記建築用杭は、本体部内に充填されるコンクリートを備える請求項１乃至３のうちいずれか１項に記載の建築用杭。
【請求項５】
前記建築用杭は、貫通孔から排出されるコンクリートにより形成される突出部を備える請求項１乃至４のうちいずれか１項に記載の建築用杭。
【考案の詳細な説明】
【技術分野】
【０００１】  本考案は、建築物の地盤中に打ち込まれた基礎杭の上下、左右、及び斜め方向の安定性を高めることで、耐震効果を一層向上させることができる建築用杭に関する。
【背景技術】
【０００２】  一般的に建築物を建設する際、その重量を地盤中で分散し支えるために基礎杭が打ちこまれる。前記基礎杭としては、地中を掘削して形成した掘削孔にコンクリートを流し込んで造成する場所杭、地中に掘削した掘削孔にコンクリート杭を挿入して造成する既成杭等が公知とされている。【０００３】  また建築用杭の先行技術として、現場の土の状態に影響されることなく品質の安定した地盤補強用のコンクリート系杭を簡易に構築することができ、かつ構築されたコンクリート系杭の杭周面抵抗力が大きい節付き現場打ちテーパ形コンクリート系杭およびその構築方法・構築用鋼管がある（例えば特許文献１参照）。
上掲特許文献１記載のテーパ形コンクリート系杭は、モルタルまたはコンクリートまたはセメントミルクにより現場で構築される杭であって、下側が狭まる円すい台形の杭本体と、この杭本体の下部のみの外周に突出して設けられた螺旋状の節とを有し、この螺旋状の節の外径が前記杭本体の上端の外径よりも小さいことを特徴とする。【０００４】  また構築方法は、地盤に杭構築用鋼管を回転させながら進入させ、この杭構築用鋼管を引き抜くときに内部にコンクリートまたはモルタルまたはセメントミルクを流し込む杭の構築方法であって、前記杭構築用鋼管として、下側が狭まる円すい台形の鋼管と、この鋼管の下端部に設けられた掘削刃とを有し、この掘削刃の鋼管中心から先端までの距離が前記鋼管の上端の半径よりも短い杭構築用鋼管を用いることにより、下側が狭まる円すい台形の杭本体と、この杭本体の下部の外周に突出する螺旋状の節とを有し、この螺旋状の節の外径が前記杭本体の上端の外径よりも小さい杭を構築することを特徴とする。【０００５】  また構築用鋼管は、下側が狭まる円すい台形の鋼管と、この交換の下端部に設けられた掘削刃とを有し、この掘削刃の鋼管中心から先端までの距離が前記鋼管の上端の半径よりも短いことを特徴とする。
【先行技術文献】
【特許文献】
【０００６】
【特許文献１】特開２０１４−１３４０００号公報（特許請求の範囲等）
【考案の概要】
【考案が解決しようとする課題】
【０００７】  上掲特許文献１は、現場の土の状態に影響されることなく品質の安定した地盤補強用のコンクリート系杭を簡易に構築することができ、かつ構築されたコンクリート系杭の杭周面抵抗力が大きいことを特徴としている。しかし、構築用鋼管を地盤に進入させる工程、モルタルを充填する工程、構築用鋼管を地盤から引き抜く工程等を必要とするため、構築工程が多くコストアップに繋がるという問題が生じた。また、地盤中に打ち込まれたコックリート系杭は、上下方向における安定性は得られるものの、左右及ぶ斜め方向の揺れによる安定性は低いという欠点があった。【０００８】  そこで本考案は上記の点に鑑み、建築物の地盤中に打ち込まれた基礎杭における上下、左右、及び斜め方向の安定性を高めることで、耐震効果を一層向上させることができる建築用杭を提供することにある。
【課題を解決するための手段】
【０００９】  上記課題を解決するために、一端に開口部を、他端に打込部を備えた中空状の本体部と、本体部の周囲に形成された螺旋部と、前記本体部に複数穿孔された貫通孔と、を備える建築用杭であって、前記建築用杭は、地盤中に傾斜状に打ち込まれることを特徴とする。【００１０】  また前記建築用杭は、垂直方向に対して４５°〜８０°の範囲に傾斜している。【００１１】  また前記建築用杭は、斜め貫入パイルにて補強される。【００１２】  また前記建築用杭は、本体部内に充填されるコンクリートを備える。【００１３】  また前記建築用杭は、貫通孔から排出されるコンクリートにより形成される突出部を備える。
【考案の効果】
【００１４】  一端に開口部を、他端に打込部を備えた中空状の本体部と、本体部の周囲に形成された螺旋部と、前記本体部に複数穿孔された貫通孔と、を備える建築用杭であって、前記建築用杭が地盤中に傾斜状に打ち込まれることにより、建築物の上下、左右、及び斜め方向の安定性を高めることができる。【００１５】  また前記建築用杭は、本体部内に充填されるコンクリートを備え、貫通孔から排出されるコンクリートにより突出部が形成されることにより、突出部により地盤中の安定性をより一層向上させることができる。
【図面の簡単な説明】
【００１６】
【図１】本考案の建築用杭の使用状態である。
【図２】本考案の建築用杭を左右方向に配置させた状態の平面図である。
【図３】前記建築用杭を交差状に配置させた状態の平面図である。
【図４】前記建築用杭を前後方向に配置させた状態の平面図である。
【図５】本考案の建築用杭の正面図である。
【図６】前記建築用杭の断面図である。
【図７】内部にコンクリートを充填させた状態の断面図である。
【図８】コンクリートを貫通孔から突出させた状態の断面図である。
【考案を実施するための形態】
【００１７】  本考案の建築用杭は、建築物の地盤中に打ち込まれた基礎杭の上下、左右、及び斜め方向の安定性を高めることで、耐震効果を一層向上させることを特徴とするものである。
以下、本考案における建築用杭の実施の形態を図面に基づいて説明する。
【００１８】  先ず、図５乃至図８に基づいて本考案の建築用杭１の構造を説明する。
本考案の建築用杭１は、一端３に開口部４を、他端５に先尖状の打込部６を備えた中空状の本体部２と、本体部２の周囲に形成された螺旋部７を具備する。また前記開口部４の周囲には、基礎や基板等に連結される連結部８が形成されている。
【００１９】  前記本体部２は、図５及び図６に示すように中空状を呈しており、強靭な鋼製等の金属製にて形成されている。また特に前記本体部２の周囲には、複数の貫通孔９が穿孔されている。
【００２０】  また前記建築用杭１の本体部２内には、図７に示すように、生コンと言われる半液状のコンクリート１０が充填されている。前記コンクリート１０は、前記建築用杭１の開口部４から、充填機等を使用して本体部２の内部に充填される。
【００２１】  本体部２の内部に充填されたコンクリート１０は、図８に示すように、油圧シリンダー２０にて押圧されることにより、本体部２に穿孔されている貫通孔９から外部に排出される。排出されたコンクリート１０は、しばらくすると固化されて強靭な突出部１１が形成される。
【００２２】  次に、本考案の建築用杭１の使用方法を各図面に基づいて説明する。
図１は、建築物３０の下部の地中３２に基礎杭３１を打ち込んだ状態の断面図である。先ず、前記基礎杭３１を地中３２に打ち込む。この際基礎杭３１は、柔らかい地中３２を貫き深層の強固な地盤３３まで貫入される。
【００２３】  前記基礎杭３１を地中３２に打ち込んだ後、圧力スクリュー３４を使用して、本考案の建築用杭１を回転、圧入する。この際、建築用杭１の傾斜角度は、垂直方向に対して４５°〜８０°の範囲に傾斜している状態に維持することが好ましい。
【００２４】  また前記支持杭３１は斜め貫入パイル３５にて補強されている。また特に、前記支持杭３１と斜め貫入パイル３５との接続部分には、ボルトとエキスポ樹脂接着剤で固定することが望ましい。
【００２５】  前記建築用杭１を打ち込んだ後、図７に示すように、建築用杭１の開口部４より充填機にて、本体部２の内部にコンクリート１０を充填する。次に図８に示すように、油圧シリンダー２０にて本体部２の内部に充填されたコンクリート１０を押圧する。すると、本体部２の内部のコンクリート１０は、複数の貫通孔９から外周方向へ排出されて突出部１１が形成される。
【００２６】  本体部２の内部から排出された突出部１１は、しばらく放置すると固化され強固な突出部１１となる。そのことにより、建築物は上下左右とともに、斜め方向への揺れに対する安定性も向上して優れた耐震性を発揮する。
【００２７】  突出部１１にて固定された建築用杭１は、地中３２の下で切断される。なお、前記建築杭３１と本考案の建築用杭１との接続部分は、連結材３６を用いて連結することも可能である。
【００２８】  また前記建築用杭１は、図２に示すように、基礎杭３１の両側面に平行状態に配設する打ち込み方法、図３に示す、基礎杭３１に対して交差させて打ち込む方法、さらには、図４に示す、基礎杭３１に前後状態に配設する打ち込み方法等、様々な打ち込み方法が採用できる。
【００２９】  上述の如く本考案の建築用杭１は、新築物件の基礎強化が実現できるのはもちろん、既存の建築物においても、基礎杭の周辺に建築用杭１を打ち込むことができる。そのため、基礎の安定強化を向上させ、優れた耐震効果を発視する。
【符号の説明】
【００３０】１    建築用杭
２    本体部
３    一端
４    開口部
５    他端
６    打込部
７    螺旋部
８    連結部
９    貫通孔
１０  コンクリート
１１  突出部
２０  油圧シリンダー
３０  建築物
３１  基礎杭
３２  地中
３３  地盤
３４  圧力スクリュー
３５  斜め貫入パイル
３６  連結材
【図１】
0003203689.tif 000003
【図２】
0003203689.tif 000004
【図３】
0003203689.tif 000005
【図４】
0003203689.tif 000006
【図５】
0003203689.tif 000007
【図６】
0003203689.tif 000008
【図７】
0003203689.tif 000009
【図８】
0003203689.tif 000010